(57)【特許請求の範囲】
【請求項１】
スライドレールアセンブリであって、
第１の端部と、該第１の端部と反対側の第２の端部とを有する第１のレールと、
前記第１のレールに対して可動であるとともに凹部を有する第２のレールと、
前記第１の端部の近傍で前記第１のレールと前記第２のレールとの間に可動に取り付けられる少なくとも１つの支持部材であって、該少なくとも１つの支持部材の一部は前記凹部に収容され、該少なくとも１つの支持部材は前記第２のレールによって駆動されるように構成されている、少なくとも１つの支持部材と、
を含み、
前記第２のレールが前記第１のレールから離れる方向である第１の方向に前記第１のレールに対して所定の距離動かされて前記第１の端部を越えて伸長すると、前記少なくとも１つの支持部材は前記第２のレールと連動して第１の位置から第２の位置に移動し、前記少なくとも１つの支持部材の前記一部が前記第２のレールを支持するために前記第１のレールの第１の端部を越えて伸長する、スライドレールアセンブリ。
【請求項２】
前記第１のレールは上壁と、下壁と、該上壁及び該下壁の間に連結される側壁とを含み、
前記第２のレールを収容するために前記上壁、前記下壁及び前記側壁によって通路が定義され、
前記第１のレールの上壁及び下壁のうちの一方は前記少なくとも１つの支持部材が移動できる空間を提供する、請求項１に記載のスライドレールアセンブリ。
【請求項３】
前記第１のレールは第１の制限部及び第２の制限部を有し、
前記空間は前記第１の制限部及び前記第２の制限部の間に位置する、請求項２に記載のスライドレールアセンブリ。
【請求項４】
前記少なくとも１つの支持部材は支持部と、該支持部に連結される伸長部とを含み、前記支持部の一部は前記凹部に収容され、前記伸長部は前記空間内に位置する、請求項２に記載のスライドレールアセンブリ。
【請求項５】
前記第２のレールは、前記第１のレールの上壁及び下壁のそれぞれに対応する上壁及び下壁を含む、請求項２に記載のスライドレールアセンブリ。
【請求項６】
前記第１のレールの第１の端部に隣接するように前記第１のレールに連結されるブラケットをさらに含み、該ブラケットはスライドレールをポストに取り付けるように構成されている、請求項１に記載のスライドレールアセンブリ。
【請求項７】
前記第１のレールと前記第２のレールとの間に取り付けられる少なくとも１つの摺動補助装置をさらに含み、該少なくとも１つの摺動補助装置は前記第１のレールに対して前記第２のレールを動かすのを支援するように構成された少なくとも１つの回転部材を含む、請求項１に記載のスライドレールアセンブリ。
【請求項８】
前記第２のレールは第１の駆動部及び第２の駆動部を有し、前記第２のレールは前記第１の駆動部を通じて前記少なくとも１つの摺動補助装置を前記第１の方向に沿って押して前記少なくとも１つの支持部材を駆動して前記第１の位置から前記第２の位置に動かすように構成され、前記第２のレールは前記第２の駆動部を通じて前記少なくとも１つの支持部材を第２の方向に沿って駆動して前記少なくとも１つの支持部材を前記第２の位置から前記第１の位置に前記第１の方向と反対の第２の方向に沿って動かすように構成されている、請求項７に記載のスライドレールアセンブリ。
【請求項９】
前記少なくとも１つの摺動補助装置及び前記少なくとも１つの支持部材は前記第１の駆動部と前記第２の駆動部との間に位置する、請求項８に記載のスライドレールアセンブリ。
【請求項１０】
前記第２のレールは第１の駆動部及び第２の駆動部を有し、前記第２のレールは前記第１の駆動部を通じて前記少なくとも１つの支持部材を第１の方向に沿って駆動して前記少なくとも１つの支持部材を前記第１の位置から前記第２の位置に動かすように構成され、前記第２のレールは前記第２の駆動部を通じて前記少なくとも１つの支持部材を第２の方向に沿って駆動して前記少なくとも１つの支持部材を前記第２の位置から前記第１の位置に動かすように構成されている、請求項１に記載のスライドレールアセンブリ。
【請求項１１】
前記第２のレールに対して可動な第３のレールをさらに含む、請求項１に記載のスライドレールアセンブリ。
【請求項１２】
スライドレールアセンブリであって、
第１のレールと、
前記第１のレールの一端に連結されるブラケットと、
前記第１のレールに対して可動であるとともに凹部を有する第２のレールと、
前記一端の近傍で前記第１のレールと前記第２のレールとの間に可動に取り付けられる少なくとも１つの支持部材であって、該少なくとも１つの支持部材の一部は前記凹部に収容され、該少なくとも１つの支持部材は前記第２のレールによって駆動されるように構成されている、少なくとも１つの支持部と、
を含み、
前記第２のレールが前記第１のレールから離れる方向である第１の方向に前記第１のレールに対して所定の距離動かされて前記一端を越えて伸長すると、前記少なくとも１つの支持部材は連動して第１の位置から第２の位置に移動し、前記少なくとも１つの支持部材の前記一部が前記第２のレールを支持するために前記第１のレールの前記一端及び前記ブラケットのうちの一方を越えて伸長する、スライドレールアセンブリ。
【請求項１３】
前記第１のレールは第１の端部と、該第１の端部と反対側の第２の端部とを有し、前記ブラケットは前記第１のレールの第１の端部に隣接するように前記第１のレールに連結される、請求項１２に記載のスライドレールアセンブリ。
【請求項１４】
前記第１のレールは上壁と、下壁と、該上壁及び該下壁の間に連結される側壁とを含み、
前記第２のレールを収容するために前記上壁、前記下壁及び前記側壁により通路が定義され、前記第１のレールの上壁及び下壁のうちの一方は前記少なくとも１つの支持部材が移動できる空間を提供する、請求項１２に記載のスライドレールアセンブリ。
【請求項１５】
前記第１のレールは第１の制限部及び第２の制限部を有し、前記空間は前記第１の制限部及び前記第２の制限部の間に位置する、請求項１４に記載のスライドレールアセンブリ。
【請求項１６】
前記少なくとも１つの支持部材は支持部と、該支持部に連結される伸長部とを含み、前記支持部の一部は前記凹部に収容され、前記伸長部は前記空間内に位置する、請求項１４に記載のスライドレールアセンブリ。
【請求項１７】
前記第１のレールと前記第２のレールとの間に取り付けられる少なくとも１つの摺動補助装置をさらに含み、該少なくとも１つの摺動補助装置は前記第１のレールに対して前記第２のレールを動かすのを支援するように構成された少なくとも１つの回転部材を含み、前記第２のレールは第１の駆動部及び第２の駆動部を有し、前記第２のレールは前記第１の駆動部を通じて前記少なくとも１つの摺動補助装置を前記第１の方向に沿って押して前記少なくとも１つの支持部材を駆動し、前記第１の位置から前記第２の位置に動かすように構成され、前記第２のレールは前記第２の駆動部を通じて前記少なくとも１つの支持部材を前記第１の方向と反対の第２の方向に沿って駆動して前記少なくとも１つの支持部材を前記第２の位置から前記第１の位置に動かすように構成されている、請求項１２に記載のスライドレールアセンブリ。
【請求項１８】
ラックに取り付けられるように構成されたスライドレールアセンブリであって、
第１のレールと、
前記第１のレールの一端に連結されるとともに、前記ラックに取り付けられるように構成されたブラケットと、
前記第１のレールに対して可動であるとともに凹部を有する第２のレールと、
前記一端の近傍で前記第１のレールと前記第２のレールとの間に可動に取り付けられる少なくとも１つの支持部材であって、該少なくとも１つの支持部材の一部は前記凹部に収容され、該少なくとも１つの支持部材は前記第２のレールによって駆動されるように構成されている、少なくとも１つの支持部と、
を含み、
前記第２のレールが前記第１のレールから離れる方向に前記第１のレールに対して所定の距離動かされて前記一端を越えて伸長すると、前記少なくとも１つの支持部材は連動して第１の位置から第２の位置に移動し、前記少なくとも１つの支持部材の前記一部が前記第２のレールを支持するために前記ラックの外に位置するとともに前記第１のレールの前記一端及び前記ブラケットのうちの一方を越えて伸長する、スライドレールアセンブリ。
【請求項１９】
前記ラックは第１のポスト及び第２のポストを含み、前記ブラケットは前記第１のポスト及び前記第２のポストのうちの一方に取り付けられるように構成されている、請求項１８に記載のスライドレールアセンブリ。
【請求項２０】
前記第１のレールは上壁と、下壁と、該上壁及び該下壁の間に連結される側壁とを含み、
前記第２のレールを収容するために前記上壁、前記下壁及び前記側壁によって通路が定義され、前記第１のレールの上壁及び下壁のうちの一方は第１の制限部及び第２の制限部を有し、前記第１の制限部及び前記第２の制限部の間に空間が定義され、前記少なくとも１つの支持部材は支持部と、該支持部に連結される伸長部とを含み、前記支持部の一部は前記凹部に収容され、前記伸長部は前記空間内に位置する、請求項１８に記載のスライドレールアセンブリ。
【発明の詳細な説明】
【技術分野】
【０００１】
本発明はスライドレールアセンブリに関し、より具体的にはスライドレールを支持するための少なくとも１つの支持部材を有するスライドレールアセンブリに関する。
【背景技術】
【０００２】
一般に、ラックシステムにおいて、スライドレールシステムは保持物体（電子機器のシャーシ等）をラックに取り付けるように構成されている。データ使用の劇的な増加に伴って、より多くの電子機器がシャーシに取り付けられるため、メンテナンスのためにラックからシャーシを安全に引き出すことができるようにスライドレールアセンブリはより重いシャーシを支持する必要がある。そのため、スライドレール関連業界において支持能力が改善されたスライドレールアセンブリを設計することが重要である。
【０００３】
先行技術のラックサーバーシステムの関連特許である特許文献１、特許文献２、特許文献３、特許文献４、特許文献５、特許文献６、特許文献７及び特許文献８を参考までに記載する。
【先行技術文献】
【特許文献】
【０００４】
【特許文献１】米国特許第６１８１５４９号明細書
【特許文献２】米国特許第６２３０９０３号明細書
【特許文献３】米国特許第６３０５５５６号明細書
【特許文献４】米国特許第６４２４５３４号明細書
【特許文献５】米国特許第６６０１７１３号明細書
【特許文献６】米国特許第６６５５５３４号明細書
【特許文献７】米国特許第７３５０８８４号明細書
【特許文献８】米国特許第８２８７０５９号明細書
【発明の概要】
【発明が解決しようとする課題】
【０００５】
本発明は２つのレールを含むとともに、２つのレールの間に少なくとも１つの調整可能な支持部材を備えたスライドレールアセンブリに関する。
【課題を解決するための手段】
【０００６】
本発明の一実施形態によれば、スライドレールアセンブリは第１のレールと、第２のレールと、少なくとも１つの支持部材とを含む。第１のレールは第１の端部と、該第１の端部と反対側の第２の端部とを有する。第２のレールは第１のレールに対して可動である。第２のレールは凹部を有する。少なくとも１つの支持部材は第１のレールと第２のレールとの間に可動に取り付けられる。少なくとも１つの支持部材の一部は凹部に収容される。少なくとも１つの支持部材は第２のレールを支持するように構成されている。少なくとも１つの支持部材が第１の位置から第２の位置に動かされると、少なくとも１つの支持部材の前記一部は第１のレールの第１の端部を越えて伸長する。
【０００７】
第１のレールは上壁と、下壁と、該上壁及び該下壁の間に連結される側壁とを含むことが好ましい。第２のレールを収容するために上壁、下壁及び側壁によって通路が定義される。第１のレールの上壁及び下壁のうちの一方は少なくとも１つの支持部材が移動できる空間を提供する。
【０００８】
第１のレールは第１の制限部及び第２の制限部を有し、空間は第１の制限部及び第２の制限部の間に位置することが好ましい。
【０００９】
少なくとも１つの支持部材は支持部と、該支持部に連結される伸長部とを含むことが好ましい。支持部の一部は凹部に収容され、伸長部は前記空間内に位置する。
【００１０】
第２のレールは、第１のレールの上壁及び下壁のそれぞれに対応する上壁及び下壁を含むことが好ましい。
【００１１】
スライドレールアセンブリは第１のレールの第１の端部に隣接するように第１のレールに連結されるブラケットをさらに含み、ブラケットはスライドレールをポストに取り付けるように構成されていることが好ましい。
【００１２】
スライドレールアセンブリは第１のレールと第２のレールとの間に取り付けられる少なくとも１つの摺動補助装置をさらに含むことが好ましい。少なくとも１つの摺動補助装置は第１のレールに対して第２のレールを動かすのを支援するように構成された少なくとも１つの回転部材を含む。
【００１３】
第２のレールは第１の駆動部及び第２の駆動部を有することが好ましい。第２のレールは第１の駆動部を通じて少なくとも１つの摺動補助装置を第１の方向に沿って押して少なくとも１つの支持部材を駆動して第１の位置から第２の位置に動かすように構成され、第２のレールは第２の駆動部を通じて少なくとも１つの支持部材を第２の方向に沿って駆動して少なくとも１つの支持部材を第２の位置から第１の位置に第２の方向に沿って動かすように構成されている。
【００１４】
少なくとも１つの摺動補助装置及び少なくとも１つの支持部材は第１の駆動部と第２の駆動部との間に位置することが好ましい。
【００１５】
第２のレールは第１の駆動部及び第２の駆動部を有し、第２のレールは第１の駆動部を通じて少なくとも１つの支持部材を第１の方向に沿って駆動して少なくとも１つの支持部材を第１の位置から第２の位置に動かすように構成され、第２のレールは第２の駆動部を通じて少なくとも１つの支持部材を第２の方向に沿って駆動して少なくとも１つの支持部材を第２の位置から第１の位置に動かすように構成されていることが好ましい。
【００１６】
スライドレールアセンブリは第２のレールに対して可動な第３のレールをさらに含むことが好ましい。
【００１７】
本発明の別の実施形態によれば、スライドレールアセンブリは第１のレールと、ブラケットと、第２のレールと、少なくとも１つの支持部材とを含む。ブラケットは第１のレールに連結される。第２のレールは第１のレールに対して可動である。第２のレールは凹部を有する。少なくとも１つの支持部材は第１のレールと第２のレールとの間に可動に取り付けられる。少なくとも１つの支持部材の一部は凹部に収容される。少なくとも１つの支持部材が第１の位置から第２の位置に動かされると、少なくとも１つの支持部材の前記一部は第１のレール及びブラケットのうちの一方を越えて伸長する。
【００１８】
本発明の別の実施形態によれば、スライドレールアセンブリは第１のレールと、ブラケットと、第２のレールと、少なくとも１つの支持部材とを含む。ブラケットは第１のレールに連結されるとともにラックに取り付けられるように構成されている。第２のレールは第１のレールに対して可動である。第２のレールは凹部を有する。少なくとも１つの支持部材は第１のレールと第２のレールとの間に可動に取り付けられる。少なくとも１つの支持部材の一部は凹部に収容される。少なくとも１つの支持部材が第１の位置から第２の位置に動かされると、少なくとも１つの支持部材の前記一部は第２のレールを支持するためにラックの外に位置するとともに第１のレール及びブラケットのうちの一方を越えて伸長する。
【００１９】
様々な図面に図示する下記の好ましい実施形態の詳細な説明を読み終えた後、本発明の上記の目的及び他の目的が当業者に間違いなく明らかになる。
【図面の簡単な説明】
【００２０】
【図１】図１は、本発明の一実施形態に係る、保持物体をラックに取り付けるように構成されたスライドレールアセンブリを示す図である。
【図２】図２は、本発明の一実施形態に係るスライドレールアセンブリの分解図である。
【図３】図３は、本発明の一実施形態に係るスライドレールアセンブリの第１のレール及び第２のレールの組み合わせを示す図である。
【図４】図４は、本発明の一実施形態に係るスライドレールアセンブリの断面図である。
【図５】図５は、本発明の一実施形態に係るラックの一対のポストに取り付けられたスライドレールアセンブリの第１のレールを示す図であり、スライドレールアセンブリの第２のレール及び第３のレールは第１のレールに対して引っ込められた状態にある。
【図６】図６は、第１のレールに対して第１の方向に沿って動かされた図５のスライドレールアセンブリの第２のレール及び第３のレールを示す図であり、少なくとも１つの支持部材が第１の位置に位置する。
【図７】図７は、第１の方向に沿ってさらに動かされた図６のスライドレールアセンブリの第２のレール及び第３のレールを示す図であり、少なくとも１つの支持部材が第２の位置に動かされている。
【図８】図８は、第１のレールに対して第２の方向に沿って伸長状態から動かされた図７のスライドレールアセンブリの第２のレール及び第３のレールを示す図である。
【図９】図９は、第１のレールに対して第２の方向に沿ってさらに動かされた図８のスライドレールアセンブリの第２のレール及び第３のレールを示す図であり、少なくとも１つの支持部材が第２の方向に沿って第２の位置から第１の位置の方に動かされている。
【発明を実施するための形態】
【００２１】
図１は、本発明の一実施形態に係る保持物体２２をラック２４に取り付けるように構成されたスライドレールアセンブリ２０を示す図である。ラック２４は第１のポスト２６ａ及び第２のポスト２６ｂを含む。スライドレールアセンブリ２０は第１のブラケット２８及び第２のブラケット３０を通じて第１のポスト２６ａ及び第２のポスト２６ｂのそれぞれに取り付けることができる。他方、保持物体２２は電子機器のためのシャーシ又は引き出しであり得る。保持物体２２はスライドレールアセンブリ２０のレールに取り付けできる複数の取り付け部材３２を有する。
【００２２】
図２に示すように、スライドレールアセンブリ２０は第１のレール３４と、第２のレール３６と、少なくとも１つの支持部材とを含む。本実施形態では、少なくとも１つの支持部材は第１の支持部材３８ａ及び第２の支持部材３８ｂを含み、第１の支持部材３８ａ及び第２の支持部材３８ｂは実質的に同一の構造を有する。スライドレールアセンブリ２０は第３のレール４０をさらに含むことが好ましい。
【００２３】
第１のレール３４は第１の端部４２ａと、第１の端部４２ａの反対側の第２の端部４２ｂとを有する。第１のブラケット２８は、第１のレール３４の第１の端部４２ａに隣接するように第１のレール３４に連結されている。第２のブラケット３０は第１のレール３４の第２の端部４２ｂに隣接するように第１のレール３４に連結されている。
【００２４】
図３に示すように、第１のレール３４は上壁４６ａと、下壁４６ｂと、上壁４６ａ及び下壁４６ｂの間に連結された側壁４８とを含む。通路５０が第１のレール３４の上壁４６ａ、下壁４６ｂ及び側壁４８によって定義されている。第１のレール３４の上壁４６ａ及び下壁４６ｂのそれぞれは有界空間（bounded  space）を備える。例えば、細長い孔が第１のレール３４の上壁４６ａ及び下壁４６ｂのそれぞれに形成されている。本実施形態では、第１のレール３４の上壁４６ａの細長い孔によって第１の空間５２が提供され、第１のレール３４の下壁４６ｂの細長い孔によって第２の空間５４が提供されている。第１の空間５２及び第２の空間５４は第１の支持部材３８ａ及び第２の支持部材３８ｂを限られた範囲内で動かすことができるように構成されている。
【００２５】
第１のレール３４の上壁４６ａは第１の制限部５６ａ及び第２の制限部５６ｂを有する。第１の制限部５６ａ及び第２の制限部５６ｂによって第１の空間５２が定義されている。他方、第１のレール３４の下壁４６ｂは第１の制限部５８ａ及び第２の制限部５８ｂを有する。第１の制限部５８ａ及び第２の制限部５８ｂによって第２の空間５４が定義されている。
【００２６】
第２のレール３６は第２のレール３６の通路５０内に収容されている。具体的には、第２のレール３６は、第１のレール３４の上壁４６ａ及び下壁４６ｂのそれぞれに対応する上壁６０ａ及び下壁６０ｂを含む。第２のレール３６は、第２のレール３６の上壁６０ａ及び／又は下壁６０ｂに配置された少なくとも１つの第１の駆動部６２及び少なくとも１つの第２の駆動部６４を有する。第１の駆動部６２及び第２の駆動部６４は突起である。本実施形態では、第１の駆動部６２が第２のレール３６の上壁６０ａ及び下壁６０ｂに配置されるとともに第２のレール３６の第１の端部に隣接し、第２の駆動部６４が第２のレール３６の上壁６０ａ及び下壁６０ｂに配置されるとともに第２のレール３６の第２の端部に隣接する。第２のレール３６の上壁６０ａ及び／又は下壁６０ｂは湾曲した凹部を有することが好ましい。本実施形態では、第２のレール３６の上壁６０ａ及び下壁６０ｂのそれぞれは溝等の凹部６６を有する。
【００２７】
第１の支持部材３８ａ及び第２の支持部材３８ｂは第１のレール３４と第２のレール３６との間に可動に取り付けられるとともに、第２のレール３６を支持するように構成されている。第１の支持部材３８ａ及び第２の支持部材３８ｂは第１のレール３４及び第２のレール３６の長手方向に沿って配置されている。第１の支持部材３８ａを例に取ると、第１の支持部材３８ａは支持部７０と、支持部７０に連結された伸長部７２とを有する。本実施形態では、支持部７０の長さは伸長部７２の長さよりも大きい。それに加えて、支持部７０の輪郭は、支持部７０の一部が凹部６６に収容されるように凹部６６に実質的に対応する。伸長部７２は第１の空間５２に位置する。他方、第２の支持部材３８ｂの構成は第１の支持部材３８ａの構成と同一であるため、さらなる説明は省略する。
【００２８】
スライドレールアセンブリ２０は第１のレール３４と第２のレール３６との間に可動に取り付けられた少なくとも１つの摺動補助装置７４をさらに含む。少なくとも１つの摺動補助装置７４は、第１のレール３４に対して第２のレール３６を動かすのを支援するように構成されたボール又はローラー等の少なくとも１つの回転部材７５を含む。それに加えて、少なくとも１つの摺動補助装置７４及び少なくとも１つの支持部材（第１の支持部材３８ａ及び／又は第２の支持部材３８ｂ）は第２のレール３６の第１の駆動部６２及び第２の駆動部６４の間に位置している。
【００２９】
第３のレール４０は第２のレール３６に対して可動であり、保持物体２２の取り付け部材３２を取り付けるように構成された複数の取り付け孔７６を有する。取り付け孔の構成は当業者に公知であるため、さらなる説明は省略する。
【００３０】
図４に示すように、摺動補助装置７４の回転部材７５は、第１のレール３４に対して第２のレール３６を動かすのを支援するために、第１のレール３４の上壁４６ａと第２のレール３６の上壁６０ａとの間及び第１のレール３４の下壁４６ｂと第２のレール３６の下壁６０ｂとの間に配置できる。他方、ボール又はローラー等の回転部材７８は、第２のレール３６及び第３のレール４０を互いに対して動かすのを支援するために第２のレール３６と第３のレール４０との間に配置することができる。
【００３１】
図５に示すように、第１のレール３４は第１のブラケット２８及び第２のブラケット３０を通じてラック２４の第１のポスト２６ａ及び第２のポスト２６ｂのそれぞれに取り付けられる。第２のレール３６及び第３のレール４０は、第１のレール３４に対して引っ込められた状態にある。それに加えて、少なくとも１つの支持部材（第２の支持部材３８ｂ等）は第１の位置Ｐ１に位置する。第２の支持部材３８ｂが第１の位置Ｐ１に位置する場合、第２の支持部材３８ｂはラック２４の内部にあり、第１のポスト２６ａと隣接している。第２の支持部材３８ｂの伸長部７２は第１の制限部５８ａと隣接している。
【００３２】
図６に示すように、（第２のレール３６及び第３のレール４０が第１の方向Ｄ１に沿って第１のレール３４に対して動かされるプロセスの間に）第３のレール４０が第１の方向Ｄ１に沿って第２のレール３６に対して動かされると、少なくとも１つの摺動補助装置７４は、第２のレール３６の動きに反応して第１の方向Ｄ１に沿って第１のレール３４に対して動かされる。第２のレール３６が第１の方向Ｄ１に沿って第１のレール３４に対して所定の距離動かされると、第２のレール３６は、少なくとも１つの摺動補助装置７４が第２の支持部材３８ｂの一部（支持部７０等）と接触するように第２のレール３６の第１の駆動部６２を通じて少なくとも１つの摺動補助装置７４を駆動する。あるいは、少なくとも１つの摺動補助装置７４をレールを引き出す動作の間に生じる力により動かして第２の支持部材３８ｂと接触させて第２の支持部材３８ｂをさらに駆動して動かすことができる。
【００３３】
図７に示すように、第２のレール３６（及び第３のレール４０）が第１の方向Ｄ１に沿って第１のレール３４に対してさらに動かされると、第２のレール３６は少なくとも１つの支持部材を駆動すること、例えば第２の支持部材３８ｂを駆動して、第１のレール３４又は第１のブラケット２８に対して第１の位置Ｐ１から第２の位置Ｐ２に動かすことができる。本実施形態では、第２のレール３６は第２のレール３６が所定の距離動かされた後に第１の駆動部６２を通じて摺動補助装置７４を第１の方向Ｄ１に沿って動かすことができ、摺動補助装置７４は第２の支持部材３８ｂをさらに駆動して第１の位置Ｐ１から第２の位置Ｐ２に第１の方向Ｄ１に沿って動かす。第２の支持部材３８ｂが第２の位置Ｐ２に位置する場合、第２の支持部材３８ｂの一部は、第２のレール３６を支持するために第１のブラケット２８又は第１のレール３４の第１の端部４２ａを越えて距離Ｌ伸長している。具体的には、第２の支持部材３８ｂが第２の位置Ｐ２に位置する場合、第２の支持部材３８ｂの一部は、第２の支持部材３８ｂが拡張の支持効果を高めるためにラック２４の外側で第２のレール３６に支持を提供するように、ラック２４の外側に位置するとともに第１のポスト２６ａに隣接している。それに加えて、第２の支持部材３８ｂが第２の位置Ｐ２に位置する場合、第２の支持部材３８ｂの伸長部７２は第２の制限部５８ｂに当接する。
【００３４】
本実施形態では、第２のレール３６は、第２の支持部材３８ｂを駆動して第１の位置Ｐ１から第２の位置Ｐ２に動かすために摺動補助装置７４を押すように構成されている。しかしながら、本発明はこの構成に限定されない。第２のレール３６が第１の方向Ｄ１に沿って動かされると、第２のレール３６は第１の駆動部６２を通じて少なくとも１つの支持部材（例えば第２の支持部材３８ｂ）を直接駆動（又は押す）して第１の位置Ｐ１から第２の位置Ｐ２に動かすこともできる。あるいは、少なくとも１つの支持部材（例えば第２の支持部材３８ｂ）は手動操作により又はレール間の摺動力により第１の位置Ｐ１から第２の位置Ｐ２に動かすことができる。
【００３５】
図８及び図９に示すように、第２のレール３６（及び第３のレール４０）は第１のレール３４に対して伸長状態にある。第２のレール３６（及び第３のレール４０）が第２の方向Ｄ２（第１の方向Ｄ１と反対の方向）に沿って第１のレール３４に対して動かされると、第２のレール３６は、第２の支持部材３８ｂがラック２４内に移動して再び第１のポスト２６ａと隣接するように（再度図５参照）、第２の駆動部６４を通じて第２の支持部材３８ｂ等の少なくとも１つの支持部材を駆動して第２の位置Ｐ２から第１の位置の方に第２の方向Ｄ２に沿って動かすことができる。
【００３６】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３７】
２０  スライドレールアセンブリ
２２  保持物体
２４  ラック
２６  ポスト
２８  第１のブラケット
３０  第２のブラケット
３２  取り付け部材
３４  第１のレール
３６  第２のレール
３８  支持部材
４０  第３のレール
４２  端部
４６ａ  上壁
４６ｂ  下壁
４８  側壁
５０  通路
５２  第１の空間
５４  第２の空間
５６  制限部
５８  制限部
６０ａ  上壁
６０ｂ  下壁
６２  第１の駆動部
６４  第２の駆動部
６６  凹部
７０  支持部
７２  伸長部
７４  摺動補助装置
７６  取り付け孔
７８  回転部材
【図１】
0006259050.tif 000002
【図２】
0006259050.tif 000003
【図３】
0006259050.tif 000004
【図４】
0006259050.tif 000005
【図５】
0006259050.tif 000006
【図６】
0006259050.tif 000007
【図７】
0006259050.tif 000008
【図８】
0006259050.tif 000009
【図９】
0006259050.tif 000010